(57)【特許請求の範囲】
【請求項１】
フォーカスコイルに印加されるフォーカス駆動電流によりフォーカス方向に駆動され、トラッキングコイルに印加されるトラッキング駆動電流によりトラッキング方向に駆動される対物レンズの傾きを評価する対物レンズの傾き評価装置であって、
前記フォーカスコイルに対してフォーカス駆動電流と前記トラッキングコイルに対してトラッキング駆動電流を印加する手段と、
前記フォーカス駆動電流とトラッキング駆動電流により駆動される対物レンズのフォーカス方向とトラッキング方向の現在位置を検出する現在位置検出手段と、
前記フォーカス駆動電流とトラッキング駆動電流により駆動される対物レンズにレーザ光を照射し、その反射信号に基づいて対物レンズのＸ方向の傾きを示すＸチルト信号とＹ方向の傾きを示すＹチルト信号を出力する傾き検出手段とを有し、
前記現在位置検出手段により検出される対物レンズのフォーカス方向とトラッキング方向の現在位置と、前記傾き検出手段により検出される対物レンズの傾きの関係に基づいて対物レンズのフォーカス駆動時とトラッキング駆動時の傾きを評価するようにした対物レンズの傾き評価装置。
【発明の詳細な説明】
【０００１】
【発明の属する技術分野】
本発明は、ＣＤなどの光記録媒体から信号を読み取る光ピックアップに用いられる対物レンズのフォーカス駆動時とトラッキング駆動時の傾きを評価する対物レンズの傾き評価装置に関する。
【０００２】
【従来の技術】
一般に、かかる光ピックアップに用いられる対物レンズは、フォーカスコイルに印加されるフォーカス駆動信号により光軸方向（以下、フォーカス方向）に移動し、トラッキングコイルに印加されるトラッキング駆動信号によりディスクのトラックを横切る方向（以下、トラッキング方向）に移動するように構成されているが、対物レンズを揺動自在に支持するサスペンションワイヤなどの取付け精度のバラツキによりフォーカス駆動信号やトラッキング駆動信号により対物レンズが移動した際に光軸が傾くので、これを評価する必要がある。
【０００３】
従来の傾き評価方法としては、対物レンズの上面にミラーを固定するとともにそのミラーの上にオートコリメータを配置し、フォーカス駆動信号とトラッキング駆動信号としてＤＣの各印加電圧を段階的に変化させながら、それぞれフォーカスコイルとトラッキングコイルに印加して対物レンズをフォーカス方向とトラッキング方向に移動させて停止させ、各停止時の対物レンズの傾きをオートコリメータにより観察し、これを印加ＤＣ電圧毎にプロットする方法が一般的である。
【０００４】
【発明が解決しようとする課題】
しかしながら、上記の従来の傾き評価方法では、フォーカス駆動信号とトラッキング駆動信号としてＤＣの印加電圧を変化させながら対物レンズの傾きをプロットするので、本来ＡＣ信号であるフォーカス駆動信号とトラッキング駆動信号により駆動される対物レンズの傾きをダイナミックに評価することができないという問題点がある。また、従来の傾き評価方法では、ＤＣ駆動電圧により静止している対物レンズを測定するので、ＡＣ信号であるフォーカス駆動信号とトラッキング駆動信号により駆動される対物レンズの傾きの周波数特性を評価することができないという問題点がある。
【０００５】
なお、上記問題点を解決するために、ＡＣ信号であるフォーカス駆動信号とトラッキング駆動信号をそれぞれフォーカスコイルとトラッキングコイルに印加する方法が考えられるが、対物レンズのフォーカス方向とトラッキング方向の各現在位置を示すフォーカスエラー信号とトラッキングエラー信号が得られない状態では、ＡＣ信号により駆動しても対物レンズの現在位置と傾きの関係を得ることができない。さらに、従来の傾き評価方法では、対物レンズの上面にミラーを固定するので、対物レンズの可動部がミラーの重量による影響を受けて測定精度が悪くなるという問題点がある。
【０００６】
本発明は上記従来の問題点に鑑み、対物レンズのフォーカス駆動時とトラッキング駆動時の傾きをダイナミックに、かつ周波数特性を評価することができる対物レンズの傾き評価装置を提供することを目的とする。
【０００７】
【課題を解決するための手段】
上記目的を達成するために、本発明は、フォーカスコイルに印加されるフォーカス駆動電流によりフォーカス方向に駆動され、トラッキングコイルに印加されるトラッキング駆動電流によりトラッキング方向に駆動される対物レンズの傾きを評価する対物レンズの傾き評価装置であって、
前記フォーカスコイルに対してフォーカス駆動電流と前記トラッキングコイルに対してトラッキング駆動電流を印加する手段と、
前記フォーカス駆動電流とトラッキング駆動電流により駆動される対物レンズのフォーカス方向とトラッキング方向の現在位置を検出する現在位置検出手段と、
前記フォーカス駆動電流とトラッキング駆動電流により駆動される対物レンズにレーザ光を照射し、その反射信号に基づいて対物レンズのＸ方向の傾きを示すＸチルト信号とＹ方向の傾きを示すＹチルト信号を出力する傾き検出手段とを有し、
前記現在位置検出手段により検出される対物レンズのフォーカス方向とトラッキング方向の現在位置と、前記傾き検出手段により検出される対物レンズの傾きの関係に基づいて対物レンズのフォーカス駆動時とトラッキング駆動時の傾きを評価するように構成されている。
【０００９】
【発明の実施の形態】
以下、図面を参照して本発明の実施の形態を説明する。図１は本発明に係る対物レンズの傾き評価装置の一実施形態を示すブロック図、図２は図１の対物レンズのフォーカス方向とトラッキング方向の変位を測定する装置を示す外観図、図３は本発明による対物レンズのフォーカス駆動時のＸ方向の傾きの測定結果を示すグラフ、図４は本発明による対物レンズのフォーカス駆動時のＹ方向の傾きの測定結果を示すグラフである。
【００１０】
図１に示す光ピックアップレンズアクチュエータ（以下レンズアクチュエータという）１は、対物レンズ１ａと、図示省略されているが対物レンズ１ａをフォーカス方向に駆動するためのフォーカスコイルと、対物レンズ１ａをトラッキング方向に駆動するためのトラッキングコイルを有する。ここで、レーザダイオードやフォトダイオードなどは図示省略の光ピックアップ本体側に設けられていてレンズアクチュエータ１側には設けられておらず、したがって、このレンズアクチュエータ１が単独の状態では、レーザダイオードの出射光を対物レンズ１ａによりディスク面に集光させて、その反射光を対物レンズによりフォトダイオードの受光面に集光させることもできないので、フォーカスエラー信号もトラッキングエラー信号も得ることができない。
【００１１】
そこで、パーソナルコンピュータ（以下、パソコン）２からファンクションジェネレータ３に対しては、フォーカス駆動信号とトラッキング駆動信号に対応するデータＧＰ−ＩＢが印加され、ファンクションジェネレータ３はこのデータＧＰ−ＩＢに基づいて、フォーカシングドライバ４Ｆ、トラッキングドライバ４Ｔにそれぞれフォーカス駆動信号ＩF とトラッキング駆動信号ＩT を発生させる。このフォーカス駆動信号ＩF とトラッキング駆動信号ＩT はそれぞれレンズアクチュエータ１内のフォーカスコイルとトラッキングコイルに印加され、これにより対物レンズ１ａがそれぞれフォーカス方向（フォーカシング方向ともいう）とトラッキング方向に駆動される。ここでトラッキング方向とは、トラックに直交する方向（ＣＤでは、その半径方向）をいう。なお、フォーカス駆動信号ＩF とトラッキング駆動信号ＩT はＤＣから数百Ｈｚまでの範囲で変化させることができる。
【００１２】
図２を参照して、対物レンズ１ａのフォーカス方向とトラッキング方向の各現在位置を測定する装置について説明する。対物レンズ１ａは支持部材１ｂとともにトラッキング方向に移動可能であり、レーザ変位計５Ｔは支持部材１ｂの側面に対してトラッキング方向にレーザ光を照射し、その反射光のレベルを検出することによりトラッキング方向の現在位置を検出する。なお、支持部材１ｂの側面がレーザ光を反射できない材料の場合には反射フィルムを貼付すればよい。また、対物レンズ１ａのフォーカス方向の現在位置を測定するためにレーザ光源５が対物レンズ１ａの面と平行にレーザ光を出射するように配置されると共に、対物レンズ１ａの面の上を通過するレーザ光を検出するようにレーザエッジ検出センサ５Ｆが配置されている。
【００１３】
図１に示すように、レーザエッジ検出センサ５Ｆとレーザ変位計５Ｔはそれぞれ各検出信号を電圧であるフォーカス変位信号ＳF とトラッキング変位信号ＳT として出力し、この信号ＳF 、ＳT はそれぞれＡ／Ｄ変換器６Ｆ、６Ｔによりデジタル値に変換されてパソコン２より取り込まれる。したがって、フォーカス駆動信号ＩF とトラッキング駆動信号ＩT に対する対物レンズ１ａのフォーカス方向とトラッキング方向の各現在位置をダイナミックに検出することができる。
【００１４】
また、対物レンズ１ａの上にはレーザオートコリメータ７が配置される。このレーザオートコリメータ７は対物レンズ１ａの上面に対してレーザ光を照射し、その反射光に基づいて対物レンズ１ａのＸ方向の傾きを示すＸチルト信号ＴｘとＹ方向の傾きを示すＹチルト信号Ｔｙを出力するように構成されている。レーザオートコリメータ７はまた、対物レンズ１ａからの反射光の映像をＴＶモニタ８に表示させるように構成されている。Ｘチルト信号ＴｘとＹチルト信号ＴｙはそれぞれＡ／Ｄ変換器９ｘ、９ｙによりデジタル値に変換されてパソコン２より取り込まれる。したがって、フォーカス駆動信号ＩF とトラッキング駆動信号ＩT に対する対物レンズ１ａのＸＹ方向の傾きをダイナミックに検出することができる。
【００１５】
図３、図４はそれぞれ、フォーカス駆動信号ＩF のみにより対物レンズ１ａを駆動した時のＸ、Ｙ方向の傾きを示し、横軸は対物レンズ１ａのフォーカス方向の変位量、縦軸はＸＹ方向の傾き（角度）を示している。図３に示すようにフォーカス駆動信号ＩF で対物レンズ１ａを駆動した場合には、駆動信号ＩF の値が同一であっても傾きが逆の場合には傾きが異なり、ヒステリシスを有することが観察された。このような測定結果は図１に示すプリンタ１０によりレンズアクチュエータ１毎にプリントアウトすることができ、したがって、レンズアクチュエータ１毎に対物レンズ１ａの傾きを評価することができる。
【００１６】
【発明の効果】
以上説明したように本発明によれば、フォーカスコイルとトラッキングコイルに対してそれぞれフォーカス駆動電流とトラッキング駆動電流を印加するとともに、フォーカス駆動電流とトラッキング駆動電流により駆動される対物レンズのフォーカス方向とトラッキング方向の各現在位置を検出し、対物レンズの現在位置と傾きの関係に基づいて対物レンズの傾きを評価するようにしたので、対物レンズのフォーカス駆動時とトラッキング駆動時の傾きをダイナミックに、かつ周波数特性を評価することができる。
【図面の簡単な説明】
【図１】本発明に係る対物レンズの傾き評価装置の一実施形態を示すブロック図である。
【図２】図１の対物レンズのフォーカス方向とトラッキング方向の変位を測定する装置を示す外観図である。
【図３】本発明による対物レンズのフォーカス駆動時のＸ方向の傾きの測定結果を示すグラフである。
【図４】本発明による対物レンズのフォーカス駆動時のＹ方向の傾きの測定結果を示すグラフである。
【符号の説明】
１  光ピックアップレンズアクチュエータ
１ａ  対物レンズ
２  パーソナルコンピュータ
３  ファンクションジェネレータ
４Ｆ  フォーカシングドライバ（フォーカス駆動電流印加手段）
４Ｔ  トラッキングドライバ（トラッキング駆動電流印加手段）
５Ｆ  レーザエッジ検出センサ（フォーカス方向現在位置検出手段）
５Ｔ  レーザ変位計（トラッキング方向現在位置検出手段）
６Ｆ，６Ｔ，９ｘ，９ｙ  Ａ／Ｄ変換器
７  レーザオートコリメータ（傾き検出手段）
【図１】
0003904123.tif 000002
【図２】
0003904123.tif 000003
【図３】
0003904123.tif 000004
【図４】
0003904123.tif 000005